(57)【特許請求の範囲】
【請求項１】
コンタクトガラスの下方に固定された画像読取手段と、前記コンタクトガラス上に原稿を搬送する第１搬送手段と、前記画像読取手段を通過した原稿を搬送する第２搬送手段とを備えた原稿読取装置において、
前記コンタクトガラスの原稿通紙方向の後端部における前記コンタクトガラスの表面と端面との角度を鋭角状に構成したことを特徴とする原稿読取装置。
【請求項２】
前記コンタクトガラスの原稿通紙方向の後端部に面取りを施したことを特徴とする請求項１記載の原稿読取装置。
【請求項３】
前記コンタクトガラスの原稿通紙方向の後端部を曲面に形成したことを特徴とする請求項１記載の原稿読取装置。
【発明の詳細な説明】
【０００１】
【発明の属する技術分野】
本発明は、ファクシミリ装置，複写機等に適用される原稿読取装置に関する。
【０００２】
【従来の技術】
従来、密着センサを画像読取手段として使用し、本体に固定されている密着センサ上に原稿を副走査方向に移動させながら密着センサによって主走査方向に画像を読み取る方式の原稿読取装置がある。
【０００３】
また、この種の技術としては、特開平４−304468号公報に開示された装置がある。この公報には、吸引ブロワにより印刷用紙の紙粉を除去することで再生紙使用によるセンサ汚れ等に対処した印刷装置が記載されている。
【０００４】
【発明が解決しようとする課題】
密着センサを採用した原稿読取装置では、密着センサ上に原稿を移動させる方式であるため、密着センサに原稿を案内するためのガイド部材と原稿とが擦れあうことにより、トナー剥離片や紙粉等のゴミが生じ、そのゴミがコンタクトガラスや白レベル判別用の白圧板に付着してしまい、その結果、画像読み取りの際に悪影響を及ぼすおそれがある。
【０００５】
また、通紙時に運ばれたゴミがコンタクトガラスの原稿通紙方向の後端部に溜り、さらに密着センサと筐体との隙間から機器内部に落下し、その落下したゴミが機器内の基盤や各種の装置に付着して不具合を引き起こすおそれがある。
【０００６】
本発明は、このような問題点を解決し、トナー剥離片や紙粉等のゴミによる読み取り画像あるいは機器内部に対する悪影響を防止した原稿読取装置を提供することをその課題とする。
【０００７】
【課題を解決するための手段】
前記課題を解決達成するため、本発明は、コンタクトガラスの下方に固定された画像読取手段と、前記コンタクトガラス上に原稿を搬送する第１搬送手段と、前記画像読取手段を通過した原稿を搬送する第２搬送手段とを備えた原稿読取装置において、前記コンタクトガラスの原稿通紙方向の後端部における前記コンタクトガラスの表面と端面との角度を鋭角状に構成したことを特徴とする。このような構成により、原稿によって運ばれてきたコンタクトガラス表面のゴミがコンタクトガラスの原稿通紙方向の後端部に溜ってきても、コンタクトガラス上へのゴミの移動が規制される。
【０００８】
また本発明は、前記コンタクトガラスの原稿通紙方向の後端部に面取りを施したことを特徴とする。また、前記コンタクトガラスの原稿通紙方向の後端部を曲面に形成したことを特徴とする。このような構成により、コンタクトガラスの原稿通紙方向の後端部に原稿が擦れてゴミが発生することが防止される。
【０００９】
【発明の実施の形態】
以下、本発明の実施形態について、図面に基づいて詳細に説明する。
【００１０】
図１は本発明の実施形態を説明するための参考例１である画像読取装置の要部を示す構成図であり、１は第１ローラ、２は第１ローラ１に当接しかつ従動する第１コロ、３はＰＥＴ材からなる可撓性を有するガイド部材、４はコンタクトガラス、５は内部に光源や画像読取素子等の光学部材を収納した密着センサ筐体を示す。この密着センサ筐体５上にコンタクトガラス４が装着されており、コンタクトガラス４の一端部にガイド部材３が片持ち状に取り付けられている。さらに、６は第２ローラ、７は第２ローラ６に当接しかつ従動する第２コロ、８は導電性部材からなる可撓性を有する付勢板、９は、可撓性部材からなり、白レベル判別用の白色面を有する白圧板、10は上下動可能に設置された角パイプ、11は原稿読取装置本体の下部筐体、12は下部筐体11に対して開閉可能な原稿読取装置本体の上部筐体、13は原稿を示す。
【００１１】
下部筐体11には、第１ローラ１，密着センサ筐体５，第２ローラ６の順で装着されており、この時、ガイド部材３の自由端は第１ローラ１側を向いている。上部筐体12には、第１コロ２，付勢板８および白圧板９，角パイプ10，第２コロ７の順で装着されている。白圧板９の一端は第１コロ２と角パイプ10との間における上部筐体12に固定されており、他端は角パイプ10に固定されている。さらに付勢板８の一端は第１コロ２と角パイプ10との間における上部筐体12に固定されており、他端は自由端として第２コロ７側を向いている。そして、下部筐体11と上部筐体12とを組み合わせたとき、第１ローラ１と第１コロ２および第２ローラ６と第２コロ７とが当接し、密着センサ筐体５の上方に付勢板８および白圧板９が密着した状態で位置付けられる。この時、角パイプ10の下方が画像読取ラインとなり、付勢板８の他端がこの画像読取ラインに係らないように、付勢板８の長さが設定されている。さらに、付勢板８は傾いており、第１ローラ１によって搬送される原稿をコンタクトガラス４側に押圧する。
【００１２】
次に、動作について説明する。
【００１３】
原稿読取装置本体にセットされた原稿13は、第１ローラ１によって搬送され、ガイド部材３のガイドによってコンタクトガラス４に送られ、密着センサ筐体５内の画像読取素子によって原稿13の画像が読み取られ、第２ローラ６によって排出される。この時、付勢板８の付勢により下方へ押圧され、その結果、原稿13はコンタクトガラス４を擦るように移動する。そのため、コンタクトガラス４上のゴミは原稿13とともに移動するようになる。また、同時に付勢板８が原稿13と擦れあうが、付勢板８は導電性を有するので静電気は溜らず、原稿13に付着しているゴミが付勢板８に吸着されにくい。また付勢板８と白圧板９とが当接しているため、白圧板９に静電気が生じても付勢板８によってその静電気が低減される。
【００１４】
このように構成したことにより、コンタクトガラス４上のゴミは原稿13によって清掃されるため、コンタクトガラス４表面にゴミが溜ることが防止できる。また、原稿13に付着しているゴミが付勢板８に吸着することが防止されるために、付勢板８にゴミが溜り、そのゴミが白圧板９に広がることが防止される。
【００１５】
ところで、図２に示すように、コンタクトガラス４の他端すなわち原稿搬送方向の端部においてコンタクトガラス４の表面と端面とが90°程度の角度になっている場合は、その角部にコンタクトガラス４上から清掃されたゴミＤが溜りやすくなる。さらに溜ったゴミＤは最後には溢れてコンタクトガラス４上に乗ってしまい、読み取った画像に黒スジが入ってしまうおそれがある。このような問題点を解決するものが次に説明する装置である。
【００１６】
図３は本発明の実施形態における構成の要部を示す説明図であり、４aはコンタクトガラス４の原稿搬送方向側の端部に形成した鋭角状の突出部を示す。この実施形態の装置は、図１に示した参考例１におけるコンタクトガラス４の原稿搬送方向側の端部における表面と端面とを鋭角状にしたものである。
【００１７】
このように構成したことにより、ゴミが溢れてコンタクトガラス４上に乗るまでの通紙枚数を多くすることができる。
【００１８】
なお、図３において、コンタクトガラス４の表面と端面とによって形成される角の部分に対し、図４に示すように面取りを施し、原稿搬送方向に沿った方向に傾斜した傾斜面４bを形成することにより、原稿13がコンタクトガラス４上を擦る際に、コンタクトガラス４の端部の角で新たに紙やトナーが削れてゴミが発生することが防止でき、ゴミが溢れてコンタクトガラス４上に乗るまでの通紙枚数をさらに多くすることができる。
【００１９】
さらに、コンタクトガラス４の表面と端面とによって形成される角の部分を、図５に示すように、曲面４cに形成しても面取りの場合と同様な作用効果が得られる。
【００２０】
図６は参考例２の装置の要部を示す構成図であり、14はフィルム状の可撓性部材を示す。なお、図１に示した参考例１の装置における部材と同一の部材については同一の符号を付すことにより詳細な説明は省略した。
【００２１】
また、密着センサ筐体５に対向する下部筐体11の縁部には可撓性部材14の一端部が固定されており、他端はコンタクトガラス４近傍の密着センサ筐体５の縁部に当接している。そのため、密着センサ筐体５と下部筐体11との隙間が可撓性部材14によって覆われた状態となる。
【００２２】
そして、原稿通紙時に、密着センサ筐体５内の画像読取素子によって画像が読み取られた原稿は、可撓性部材14によって第２ローラ６側にガイドにされ、第２ローラ６によって排出される。
【００２３】
このように構成したことにより、原稿通紙時に、原稿によって運ばれたゴミが、密着センサ筐体５と下部筐体11との隙間から機器内に落下することが防止される。
【００２４】
図７は参考例３の装置の要部を示す構成図であり、15は吸気ファンを示す。なお、図１に示した参考例１の装置における部材と同一の部材については同一の符号を付すことにより詳細な説明は省略した。
【００２５】
吸気ファン15は、密着センサ筐体５の側方に備えられており、原稿搬送方向に対して直角方向からコンタクトガラス４および密着センサ筐体５に対して送風するように配置されている。そして、原稿通紙終了後に吸気ファン15を動作させることにより、コンタクトガラス４上と密着センサ筐体５上に残ったゴミが吹き飛ばされる。
【００２６】
このような構成により、原稿通紙動作終了後に毎回コンタクトガラス表面に残ったゴミを吹き飛ばすことにより、コンタクトガラス４の原稿通紙方向の後端部にゴミが溢れてコンタクトガラス４上に乗るまでの通紙枚数を多くすることができる。
【００２７】
図８は参考例４の装置の要部を示す構成図であり、16はダクトを示す。なお、図１に示した参考例１の装置および図７に示した参考例３の装置における部材と同一の部材については同一の符号を付すことにより詳細な説明は省略した。
【００２８】
参考例４の装置は、図７に示した参考例３の装置における吸気ファン15を任意の位置に配設し、さらに、吸気ファン15に対向する吸気口と密着センサ筐体５の側方に配置される排気口とを有するダクト16を設けたものである。そのため、吸気ファン15からの空気はダクト16を介して、原稿搬送方向に対して直角方向からコンタクトガラス４および密着センサ筐体５に対して送風されるようになり、コンタクトガラス４上と密着センサ筐体５上に残ったゴミが吹き飛ばされる。
【００２９】
このような構成により、吸気ファン15を設置するためのレイアウト上の自由度を向上させることができる。
【００３０】
なお、上述した実施の形態では画像読取手段として密着センサを用いた原稿読取装置で説明してきたが、ＣＣＤを用いた縮小光学系を有する原稿読取装置に適用しても同様な効果が得られる。
【００３１】
【発明の効果】
以上説明したように構成された本発明によれば、コンタクトガラスの原稿搬送方向側の端部を鋭角状に形成することにより、コンタクトガラスの原稿搬送方向側の端部からゴミが溢れてコンタクトガラス上に乗るまでの通紙枚数を多くすることができる。さらに、その端部に面取りを施すかあるいは曲面を形成することにより、その端部において記録紙またはトナーが削れてゴミが発生することが抑えられるため、通紙枚数をさらに多くすることができる。
【図面の簡単な説明】
【図１】  本発明の実施形態を説明するための参考例１の装置の要部を示す構成図である。
【図２】  コンタクトガラスの原稿搬送方向側の端部にゴミが溜っている状態を示す説明図である。
【図３】  本発明の実施形態の構成の要部を示す説明図である。
【図４】  図３のコンタクトガラスにおける原稿搬送方向側の端部に面取りを施した構成を示す説明図である。
【図５】  図３のコンタクトガラスにおける原稿搬送方向側の端部を曲面とした構成を示す説明図である。
【図６】  参考例２の装置の要部を示す構成図である。
【図７】  参考例３の装置の要部を示す構成図である。
【図８】  参考例４の装置の要部を示す構成図である。
【符号の説明】
１…第１ローラ、  ２…第１コロ、  ３…ガイド部材、  ４…コンタクトガラス、  ４a…突出部、  ４b…傾斜面、  ４c…曲面、  ５…密着センサ筐体、  ６…第２ローラ、  ７…第２コロ、  ８…付勢板、  ９…白圧板、  10…角パイプ、  11…下部筐体、  12…上部筐体、  13…原稿、  14…可撓性部材、  15…吸気ファン、  16…ダクト。
【図１】
0003716297.tif 000002
【図２】
0003716297.tif 000003
【図３】
0003716297.tif 000004
【図４】
0003716297.tif 000005
【図５】
0003716297.tif 000006
【図６】
0003716297.tif 000007
【図７】
0003716297.tif 000008
【図８】
0003716297.tif 000009